(57)【要約】【課題】一般ユーザの実情を反映してユーザ利用空間を最適に環境調整できるデータ処理装置を提供する。【解決手段】ユーザ利用空間は、空間環境を調整する環境調整デバイス２００が設置されていて一般ユーザが自由に出入りする。このユーザ利用空間を空間撮像デバイス３００が撮像した空間画像データからユーザ抽出部１１０がユーザ画像データＵＶＤを抽出する。その抽出されたユーザ画像データＵＶＤから状況判定部１２０が少なくとも一般ユーザの着衣状況を判定してユーザ状況データＵＳＤを生成する。その生成されたユーザ状況データＵＳＤに対応して環境調整部１３０が環境調整デバイス２００に動作制御データＭＣＤを出力する。このため、一般ユーザの実情を反映してユーザ利用空間を最適に環境調整することができる。【選択図】図１
2009192171.tif 000002
【特許請求の範囲】
【請求項１】
空間環境を調整する環境調整デバイスが設置されていて一般ユーザが自由に出入りするユーザ利用空間の空間撮像デバイスによる空間画像データからユーザ画像データを抽出するユーザ抽出手段と、
抽出された前記ユーザ画像データから少なくとも前記一般ユーザの着衣状況を判定してユーザ状況データを生成する状況判定手段と、
生成された前記ユーザ状況データに対応して前記環境調整デバイスに動作制御データを出力する環境調整手段と、
を有するデータ処理装置。
【請求項２】
前記状況判定手段は、前記着衣状況として少なくとも前記一般ユーザの着衣容量を判定する請求項１に記載のデータ処理装置。
【請求項３】
前記状況判定手段は、前記一般ユーザの外観の少なくとも一部を検出して前記着衣状況を判定する請求項１または２に記載のデータ処理装置。
【請求項４】
前記状況判定手段は、前記一般ユーザの首部周辺を検出して前記着衣状況を判定する請求項３に記載のデータ処理装置。
【請求項５】
前記状況判定手段は、前記一般ユーザの首部周辺の開放状態から前記着衣状況を判定する請求項４に記載のデータ処理装置。
【請求項６】
前記状況判定手段は、前記着衣状況として少なくとも前記一般ユーザの着衣色相を判定する請求項１ないし５の何れか一項に記載のデータ処理装置。
【請求項７】
前記ユーザ利用空間の複数箇所に複数の前記環境調整デバイスが個別に設置されており、
前記ユーザ抽出手段は、前記環境調整デバイスの設置箇所に対応して前記ユーザ画像データを抽出し、
前記環境調整手段は、前記ユーザ画像データに対応した設置箇所の前記環境調整デバイスごとに前記動作制御データを出力する請求項１ないし６の何れか一項に記載のデータ処理装置。
【請求項８】
前記ユーザ利用空間の現在状況を反映した空間状況データを検出する状況検出手段と、
検出された前記空間状況データとともに前記ユーザ状況データを蓄積するデータ蓄積手段とを、さらに有する請求項１ないし７の何れか一項に記載のデータ処理装置。
【請求項９】
検出される前記空間状況データに整合する前記空間状況データとともに蓄積されている前記ユーザ状況データを検索する履歴検索手段を、さらに有し、
前記環境調整手段は、検索された前記ユーザ状況データにも対応して前記環境調整デバイスに前記動作制御データを出力する請求項８に記載のデータ処理装置。
【請求項１０】
前記ユーザ利用空間の現在状況を反映した空間状況データを検出する状況検出手段と、
検出された前記空間状況データとともに前記動作制御データを蓄積するデータ蓄積手段とを、さらに有する請求項１ないし９の何れか一項に記載のデータ処理装置。
【請求項１１】
検出される前記空間状況データに整合する前記空間状況データとともに蓄積されている前記動作制御データを検索する履歴検索手段を、さらに有し、
前記環境調整手段は、検索された前記動作制御データにも対応して前記環境調整デバイスに前記動作制御データを出力する請求項１０に記載のデータ処理装置。
【請求項１２】
前記環境調整手段は、検索された前記空間状況データに対応した所定タイミングで前記動作制御データを出力する請求項９または１１に記載のデータ処理装置。
【請求項１３】
前記状況判定手段は、前記一般ユーザの性別と年代との少なくとも一つも判定して前記ユーザ状況データに設定する請求項１ないし１２の何れか一項に記載のデータ処理装置。
【請求項１４】
前記状況判定手段は、前記一般ユーザの人数と行動内容と移動速度と滞在時間との少なくとも一つも判定して前記ユーザ状況データに設定する請求項１ないし１３の何れか一項に記載のデータ処理装置。
【請求項１５】
前記環境調整デバイスは、前記ユーザ利用空間の照明設備と空調設備と音響設備との少なくとも一つを有する請求項１ないし１４の何れか一項に記載のデータ処理装置。
【請求項１６】
請求項１ないし１５の何れか一項に記載のデータ処理装置と、
一般ユーザが自由に出入りするユーザ利用空間に設置されていて空間環境を調整する環境調整デバイスと、
前記ユーザ利用空間を撮像して空間画像データを出力する空間撮像デバイスと、
を有するデータ処理システム。
【請求項１７】
請求項１ないし１５の何れか一項に記載のデータ処理装置のコンピュータプログラムであって、
空間環境を調整する環境調整デバイスが設置されていて一般ユーザが自由に出入りするユーザ利用空間の空間撮像デバイスによる空間画像データからユーザ画像データを抽出するユーザ抽出処理と、
抽出された前記ユーザ画像データから少なくとも前記一般ユーザの着衣状況を判定してユーザ状況データを生成する状況判定処理と、
生成された前記ユーザ状況データに対応して前記環境調整デバイスに動作制御データを出力する環境調整処理と、
をデータ処理装置に実行させるコンピュータプログラム。
【請求項１８】
請求項１ないし１５の何れか一項に記載のデータ処理装置のデータ処理方法であって、
空間環境を調整する環境調整デバイスが設置されていて一般ユーザが自由に出入りするユーザ利用空間の空間撮像デバイスによる空間画像データからユーザ画像データを抽出するユーザ抽出工程と、
抽出された前記ユーザ画像データから少なくとも前記一般ユーザの着衣状況を判定してユーザ状況データを生成する状況判定工程と、
生成された前記ユーザ状況データに対応して前記環境調整デバイスに動作制御データを出力する環境調整工程と、
を有するデータ処理方法。
【発明の詳細な説明】
【技術分野】
【０００１】
本発明は、一般ユーザが自由に出入りするユーザ利用空間の空間環境を調整する環境調整デバイスの動作制御に利用されるデータ処理装置、このデータ処理装置を有するデータ処理システム、そのデータ処理装置のコンピュータプログラムおよびデータ処理方法、に関する。
【背景技術】
【０００２】
現在、コンビニエンスストアの店舗内部空間などのユーザ利用空間は、一般的に照明設備や空調設備や音響設備が設置されており、一般ユーザに最適な空間環境を提供するようにしている。
【０００３】
しかし、このようなユーザ利用空間では、一般ユーザが自由に出入りするため、その一般ユーザの人数などが任意である。さらに、天気や季節などのため、ユーザ利用空間の室温や湿度なども任意に変化する。
【０００４】
このような状況で一般ユーザに最適な空間環境を提供するため、ユーザ利用空間でのユーザ状況をセンシングし、照明設備や空調設備や音響設備をリアルタイムに制御する各種の提案がある（例えば、特許文献１ないし５参照）。
【特許文献１】特開２００６−２７０８６５号公報
【特許文献２】特開２００４−０７７０６３号公報
【特許文献３】特開２００１−０９９４６１号公報
【特許文献４】特開平１１−３０４２２１号公報
【特許文献５】特開平０７−０４５３７０号公報
【発明の開示】
【発明が解決しようとする課題】
【０００５】
従来のデータ処理システムでは、ユーザ利用空間に存在する一般ユーザの人数や動作状況などに対応して照明設備などを制御している。一般ユーザの人数や動作状況などは簡単にセンシングできるが、実際には一般ユーザの実情を的確に反映していないことがある。
【０００６】
つまり、一般ユーザは天気や季節により着衣容量が大幅に相違し、これがユーザ利用空間に位置する一般ユーザの快適さに影響する。そこで、これを解決するために季節や気温に対応して空調設備などを制御することが想定できる。
【０００７】
しかし、冬季などは一般ユーザは室外では厚着しているが、室内であるユーザ利用空間では、上着を脱ぐ一般ユーザと脱がない一般ユーザとがいる。このような場合、単純に季節や気温に対応して空調設備などを制御しても、一般ユーザに最適な空間環境を提供することはできない。
【０００８】
本発明は上述のような課題に鑑みてなされたものであり、ユーザ利用空間に位置する一般ユーザに最適な空間環境を提供することができるデータ処理装置、このデータ処理装置を有するデータ処理システム、そのデータ処理装置のコンピュータプログラムおよびデータ処理方法、を提供するものである。
【課題を解決するための手段】
【０００９】
本発明のデータ処理装置は、空間環境を調整する環境調整デバイスが設置されていて一般ユーザが自由に出入りするユーザ利用空間の空間撮像デバイスによる空間画像データからユーザ画像データを抽出するユーザ抽出手段と、抽出されたユーザ画像データから少なくとも一般ユーザの着衣状況を判定してユーザ状況データを生成する状況判定手段と、生成されたユーザ状況データに対応して環境調整デバイスに動作制御データを出力する環境調整手段と、を有する。
【００１０】
本発明のデータ処理システムは、本発明のデータ処理装置と、一般ユーザが自由に出入りするユーザ利用空間に設置されていて空間環境を調整する環境調整デバイスと、ユーザ利用空間を撮像して空間画像データを出力する空間撮像デバイスと、を有するデータ処理システム。
【００１１】
本発明のコンピュータプログラムは、本発明のデータ処理装置のコンピュータプログラムであって、空間環境を調整する環境調整デバイスが設置されていて一般ユーザが自由に出入りするユーザ利用空間の空間撮像デバイスによる空間画像データからユーザ画像データを抽出するユーザ抽出処理と、抽出されたユーザ画像データから少なくとも一般ユーザの着衣状況を判定してユーザ状況データを生成する状況判定処理と、生成されたユーザ状況データに対応して環境調整デバイスに動作制御データを出力する環境調整処理と、をデータ処理装置に実行させる。
【００１２】
本発明のデータ処理方法は、本発明のデータ処理装置のデータ処理方法であって、空間環境を調整する環境調整デバイスが設置されていて一般ユーザが自由に出入りするユーザ利用空間の空間撮像デバイスによる空間画像データからユーザ画像データを抽出するユーザ抽出工程と、抽出されたユーザ画像データから少なくとも一般ユーザの着衣状況を判定してユーザ状況データを生成する状況判定工程と、生成されたユーザ状況データに対応して環境調整デバイスに動作制御データを出力する環境調整工程と、を有する。
【００１３】
なお、本発明の各種の構成要素は、その機能を実現するように形成されていればよく、例えば、所定の機能を発揮する専用のハードウェア、所定の機能がコンピュータプログラムにより付与されたデータ処理装置、コンピュータプログラムによりデータ処理装置に実現された所定の機能、これらの任意の組み合わせ、等として実現することができる。
【００１４】
また、本発明の各種の構成要素は、個々に独立した存在である必要もなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でよい。
【００１５】
また、本発明のデータ処理方法は、複数の工程を順番に記載してあるが、その記載の順番は複数の工程を実行する順番を限定するものではない。このため、本発明のデータ処理方法を実施するときには、その複数の工程の順番は内容的に支障しない範囲で変更することができる。
【００１６】
さらに、本発明のデータ処理方法は、複数の工程が個々に相違するタイミングで実行されることに限定されない。このため、ある工程の実行中に他の工程が発生すること、ある工程の実行タイミングと他の工程の実行タイミングとの一部ないし全部が重複していること、等でもよい。
【００１７】
また、本発明で云うデータ処理装置は、コンピュータプログラムを読み取って対応する処理動作を実行できるように、ＣＰＵ（Central Processing Unit）、ＲＯＭ（Read Only Memory）、ＲＡＭ（Random Access Memory）、Ｉ／Ｆ（Interface）ユニット、等の汎用デバイスで構築されたハードウェア、所定の処理動作を実行するように構築された専用の論理回路、これらの組み合わせ、等として実施することができる。
【００１８】
なお、本発明でコンピュータプログラムに対応した各種動作をデータ処理装置に実行させることは、各種デバイスをデータ処理装置に動作制御させることなども意味している。
【００１９】
例えば、データ処理装置に各種データを記憶させることは、データ処理装置に固定されているＨＤＤ（Hard Disc Drive）等の情報記憶媒体にＣＰＵが各種データを格納すること、データ処理装置に交換自在に装填されているＣＤ−Ｒ（Compact Disc-Recordable）等の情報記憶媒体にＣＰＵがＣＤドライブで各種データを格納すること、等でよい。
【発明の効果】
【００２０】
本発明のデータ処理装置では、空間環境を調整する環境調整デバイスが設置されていて一般ユーザが自由に出入りするユーザ利用空間の空間撮像デバイスによる空間画像データからユーザ抽出手段がユーザ画像データを抽出する。その抽出されたユーザ画像データから状況判定手段が少なくとも一般ユーザの着衣状況を判定してユーザ状況データを生成する。その生成されたユーザ状況データに対応して環境調整手段が環境調整デバイスに動作制御データを出力する。このため、一般ユーザの実情を反映してユーザ利用空間を最適に環境調整することができる。
【発明を実施するための最良の形態】
【００２１】
本発明の実施の一形態を図面を参照して以下に説明する。本実施の形態のデータ処理システム１０００は、図１ないし図３に示すように、データ処理装置１００と、一般ユーザＣＵが自由に出入りするユーザ利用空間ＵＵＳに設置されていて空間環境を調整する環境調整デバイスである店内空調設備２００と、ユーザ利用空間ＵＵＳを撮像して空間画像データＳＶＤを出力する空間撮像デバイスである店内監視カメラ３００と、を有する。
【００２２】
本実施の形態のデータ処理装置１００は、図１に示すように、ユーザ利用空間ＵＵＳの店内監視カメラ３００による空間画像データＳＶＤからユーザ画像データＵＶＤを抽出するユーザ抽出部１１０と、抽出されたユーザ画像データＵＶＤから少なくとも一般ユーザＣＵの着衣状況を判定してユーザ状況データＵＳＤを生成する状況判定部１２０と、生成されたユーザ状況データＵＳＤに対応して店内空調設備２００に動作制御データＭＣＤを出力する環境調整部１３０と、を有する。
【００２３】
より具体的には、ユーザ利用空間ＵＵＳは、例えば、コンビニエンスストアの店舗内部空間からなる。店内空調設備２００と店内監視カメラ３００とは、例えば、ユーザ利用空間ＵＵＳの上部に各々複数が設置されている。
【００２４】
データ処理装置１００は、例えば、図３に示すように、そのコンビニエンスストアのバックヤードスペースＢＹＳに設置されており、ＰＯＳ（Point Of Sales）端末(図示せず)などと接続されているデータベースサーバからなる。
【００２５】
さらに、本実施の形態のデータ処理装置１００は、図２に示すように、複数の店内空調設備２００および複数の店内監視カメラ３００とＬＡＮ（Local Area Network）等の通信ネットワークＩＮで接続されている。
【００２６】
本実施の形態のデータ処理装置１００は、専用のコンピュータプログラムが実装されており、そのコンピュータプログラムに対応して各種動作を実行することにより、前述の各部１１０〜が論理的に実現されている。
【００２７】
例えば、ユーザ抽出部１１０は、データ処理装置１００がコンピュータプログラムと店内監視カメラ３００の出力データとに対応して所定のデータ処理を実行する機能などに相当する。
【００２８】
状況判定部１２０は、データ処理装置１００がコンピュータプログラムに対応して所定のデータ処理を実行する機能などに相当する。環境調整部１３０は、データ処理装置１００がコンピュータプログラムに対応して店内空調設備２００を遠隔操作する機能などに相当する。
【００２９】
なお、データ処理装置１００の状況判定部１２０は、詳細には後述するが、一般ユーザＣＵの外観の少なくとも一部として首部周辺を検出し、その首部周辺の開放状態から着衣状況として、一般ユーザＣＵの着衣容量を判定する。
【００３０】
上述のようなデータ処理装置１００の各部１１０〜を論理的に実現するコンピュータプログラムは、例えば、空間環境を調整する店内空調設備２００が設置されていて一般ユーザＣＵが自由に出入りするユーザ利用空間ＵＵＳの店内監視カメラ３００による空間画像データＳＶＤからユーザ画像データＵＶＤを抽出するユーザ抽出処理と、抽出されたユーザ画像データＵＶＤから少なくとも一般ユーザＣＵの着衣状況を判定してユーザ状況データＵＳＤを生成する状況判定処理と、生成されたユーザ状況データＵＳＤに対応して店内空調設備２００に動作制御データＭＣＤを出力する環境調整処理と、をデータ処理装置１００に実行させるように記述されている。
【００３１】
上述のような構成において、本実施の形態のデータ処理システム１０００は、いわゆるコンビニエンスストアなどで利用される。その場合、一般的に店舗内部であるユーザ利用空間ＵＵＳには、事前に店内空調設備２００と店内監視カメラ３００とが設置されている。
【００３２】
また、バックヤードスペースＢＹＳには、一般的にＰＯＳ端末などとデータ通信するデータベースサーバなどのデータ処理装置１００が設置されている。そこで、そのデータ処理装置１００に専用のコンピュータプログラムをインストールし、所定の通信デバイス(図示せず)を仲介させるなどして店内空調設備２００と店内監視カメラ３００とを接続することで、データ処理システム１０００が構築される。
【００３３】
店内空調設備２００は、一般ユーザＣＵが自由に出入りするユーザ利用空間ＵＵＳを常時空調している。また、店内監視カメラ３００は、ユーザ利用空間ＵＵＳを常時撮像している。
【００３４】
そして、データ処理装置１００は、図４に示すように、５分などのデータ取得タイミングが到来するごとに(ステップＳ１−Ｙ)、店内監視カメラ３００から空間画像データＳＶＤを取得する(ステップＳ２)。
【００３５】
つぎに、その空間画像データＳＶＤからパターンマッチングなどの既存技術により、一般ユーザＣＵのユーザ画像データＵＶＤを抽出する(ステップＳ３)。店内監視カメラ３００は基本的にユーザ利用空間ＵＵＳの全域を撮像するように配置されている。
【００３６】
しかし、そもそもユーザ利用空間ＵＵＳに一般ユーザＣＵが一人も入場していない場合には、空間画像データＳＶＤからユーザ画像データＵＶＤは抽出されない(ステップＳ４−Ｎ)。
【００３７】
一方、ユーザ利用空間ＵＵＳに一般ユーザＣＵが入場していれば、そのユーザ画像データＵＶＤが空間画像データＳＶＤから抽出される(ステップＳ４−Ｙ)。すると、そのユーザ画像データＵＶＤから一般ユーザＣＵの着衣状況が判定される(ステップＳ５)。
【００３８】
より詳細には、ユーザ画像データＵＶＤは一般ユーザＣＵの外観からなるので、やはりパターンマッチングなどの既存技術により、一般ユーザＣＵの外観の一部である首部周辺が検出される。つぎに、ニューラルネットワークによる色相判定を内包したパターンマッチングなどにより、その首部周辺の開放状態が検出される。
【００３９】
一般的に、一般ユーザＣＵの首部周辺は夏季などは開放され、冬季などは閉塞され、これは色相判定を内包したパターンマッチングなどにより検出される。このように首部周辺の開放状態が検出されると、これで着衣状況として一般ユーザＣＵの着衣容量が判定される。
【００４０】
すると、この着衣容量に基づいてユーザ状況データＵＳＤが生成され(ステップＳ６)、このユーザ状況データＵＳＤに対応した店内空調設備２００の動作制御データＭＣＤが生成される(ステップＳ７)。
【００４１】
このとき、データ処理装置１００は、例えば、複数のユーザ画像データＵＶＤが検出された場合、複数の一般ユーザＣＵのユーザ状況データＵＳＤの平均値を算出し、その平均値とユーザ画像データＵＶＤの個数とに対応して所定のアルゴリズムで店内空調設備２００の動作制御データＭＣＤを生成する。
【００４２】
このように生成された動作制御データＭＣＤが店内空調設備２００に送信される(ステップＳ８)。この動作制御データＭＣＤに対応して店内空調設備２００が動作するので、これでユーザ利用空間ＵＵＳは一般ユーザＣＵの着衣容量に対応した状態に空調されることになる。
【００４３】
本実施の形態のデータ処理装置１００では、上述のように空間環境を調整する店内空調設備２００が設置されていて一般ユーザＣＵが自由に出入りするユーザ利用空間ＵＵＳの店内監視カメラ３００による空間画像データＳＶＤからユーザ抽出部１１０がユーザ画像データＵＶＤを抽出する。
【００４４】
その抽出されたユーザ画像データＵＶＤから状況判定部１２０が少なくとも一般ユーザＣＵの着衣状況を判定してユーザ状況データＵＳＤを生成する。その生成されたユーザ状況データＵＳＤに対応して環境調整部１３０が店内空調設備２００に動作制御データＭＣＤを出力する。
【００４５】
このため、一般ユーザＣＵの実情を反映してユーザ利用空間ＵＵＳを最適に環境調整することができる。
【００４６】
特に、データ処理装置１００は、一般ユーザＣＵの首部周辺を検出し、その首部周辺の開放状態から着衣状況を判定し、着衣状況として少なくとも一般ユーザＣＵの着衣容量を判定する。このため、一般ユーザＣＵの実情を反映したユーザ利用空間ＵＵＳの環境調整を、簡単なデータ処理で確実に実行することができる。
【００４７】
しかも、店内監視カメラ３００は防犯などのために従来からユーザ利用空間ＵＵＳに設置されている。また、データ処理装置１００も、ＰＯＳ端末と通信するデータベースサーバなどで実現することができる。
【００４８】
当然ながら、店内空調設備２００も従来からユーザ利用空間ＵＵＳに設置されている。このため、本実施の形態のデータ処理システム１０００は、既存の設備を利用して簡単に構築することができる。
【００４９】
なお、本発明は本実施の形態に限定されるものではなく、その要旨を逸脱しない範囲で各種の変形を許容する。例えば、上記形態ではデータ処理装置１００が一般ユーザＣＵの首部周辺の開放状態から、着衣状況として着衣容量を判定することを例示した。
【００５０】
しかし、データ処理装置１００が、一般ユーザＣＵの首部周辺を検出する以外の手法で、着衣状況を検出することも想定できる。さらに、データ処理装置１００が着衣状況として一般ユーザＣＵの着衣色相を判定してもよい。一般的に、一般ユーザＣＵは夏季などは明色の着衣が多く、冬季などは暗色の着衣が多いので、着衣色相もユーザ状況データＵＳＤの生成に利用することができる。
【００５１】
また、上記形態ではデータ処理装置１００がユーザ利用空間ＵＵＳの複数の店内空調設備２００に一様に動作制御データＭＣＤを出力することを例示した。
【００５２】
しかし、図３に示すように、ユーザ利用空間ＵＵＳの複数箇所に複数の店内空調設備２００が個別に設置されている場合、店内空調設備２００の設置箇所に対応してユーザ画像データＵＶＤを抽出し、そのユーザ画像データＵＶＤに対応した設置箇所の店内空調設備２００ごとに動作制御データＭＣＤを出力してもよい。この場合、ユーザ利用空間ＵＵＳの各所ごとに一般ユーザＣＵを最適に空調するようなことができる。
【００５３】
さらに、上記形態ではデータ処理装置１００がユーザ状況データＵＳＤに対応して店内空調設備２００に動作制御データＭＣＤを出力することのみ例示した。しかし、データ処理装置１００が、ユーザ利用空間ＵＵＳの現在状況を反映した空間状況データを検出する状況検出手段と、検出された空間状況データとともに、ユーザ状況データＵＳＤや動作制御データＭＣＤを蓄積するデータ蓄積手段とを、さらに有してもよい(図示せず)。
【００５４】
その場合、一般ユーザＣＵの性別と年代との少なくとも一つも判定してユーザ状況データＵＳＤに設定してもよく、一般ユーザＣＵの人数と行動内容と移動速度と滞在時間との少なくとも一つも判定してユーザ状況データＵＳＤに設定してもよい。
【００５５】
このようなデータ処理装置１００では、ユーザ利用空間ＵＵＳの環境調整のために生成したユーザ状況データＵＳＤをデータ収集することができる。このため、例えば、データ収集したユーザ状況データＵＳＤを、ユーザ利用空間ＵＵＳでの商品販売の戦略立案に利用するようなことができる。
【００５６】
なお、上述のようにユーザ利用空間ＵＵＳの現在状況を反映した空間状況データとしては、例えば、ユーザ利用空間ＵＵＳの外部ないし内部の気温や湿度の実測値、ウェブサイトなどから取得する天気情報、リアルタイムに検出される季節、時刻、曜日、平日か休日かの情報、ユーザ画像データＵＶＤから判定される一般ユーザＣＵの人数、これらの一つないし複数の組み合わせ、を利用することができる。
【００５７】
また、データ処理装置１００が、検出される空間状況データに整合する空間状況データとともに蓄積されているユーザ状況データＵＳＤや動作制御データＭＣＤを検索する履歴検索手段も有し、検索されたユーザ状況データＵＳＤや動作制御データＭＣＤにも対応して動作制御データＭＣＤを店内空調設備２００に出力してもよい。
【００５８】
この場合、現在状況に対応したリアルタイムに店内空調設備２００を動作制御するとき、過去状況も参考にすることができるので、より適正に店内空調設備２００を動作制御することができる。
【００５９】
さらに、少なくとも検索された空間状況データに対応した所定タイミングで動作制御データＭＣＤを出力してもよい。この場合、図５に示すように、過去の状況を参考に店内空調設備２００を事前に適正に作動させておくことができる。このため、ユーザ利用空間ＵＵＳを利用する一般ユーザＣＵに快適な環境を常時提供するようなことができる。
【００６０】
また、上記形態ではユーザ利用空間ＵＵＳがコンビニエンスストアの店舗内部空間からなることを例示した。しかし、このようなユーザ利用空間ＵＵＳは、任意の人数の一般ユーザＣＵが任意のタイミングで出入りする各種の空間に適用することができる。
【００６１】
さらに、上記形態では空間撮像デバイスとして既存の店内監視カメラ３００を流用するとともに、データ処理装置１００として既存のデータベースサーバなどを流用することを例示した。しかし、当然ながら、このような空間撮像デバイスやデータ処理装置１００として専用の機器を利用してもよい。
【００６２】
また、上記形態では環境調整デバイスが店内空調設備２００からなることを例示した。しかし、このような環境調整デバイスが、ユーザ利用空間ＵＵＳの照明設備や音響設備からなってもよい。さらに、このような空調設備と照明設備と音響設備との複数をデータ処理装置１００が統合制御するようなことも可能である。
【００６３】
さらに、本実施の形態ではデータ処理装置１００の各部がコンピュータプログラムにより各種機能として論理的に実現されることを例示した。しかし、このような各部の各々を固有のハードウェアとして形成することもでき、ソフトウェアとハードウェアとの組み合わせとして実現することもできる。
【００６４】
なお、当然ながら、上述した実施の形態および複数の変形例は、その内容が相反しない範囲で組み合わせることができる。また、上述した実施の形態および変形例では、各部の構造などを具体的に説明したが、その構造などは本願発明を満足する範囲で各種に変更することができる。
【図面の簡単な説明】
【００６５】
【図１】本発明の実施の形態のデータ処理システムの論理構造を示す模式図である。
【図２】データ処理システムの物理構造を示すブロック図である。
【図３】データ処理システムが適用されたユーザ利用空間の物理構造を示す模式的な斜視図である。
【図４】データ処理装置によるデータ処理方法を示すフローチャートである。
【図５】一変形例のデータ処理システムによる空間環境の調整動作を示す模式図である。
【符号の説明】
【００６６】
１００    データ処理装置
１１０    ユーザ抽出部
１２０    状況判定部
１３０    環境調整部
２００    店内空調設備
３００    店内監視カメラ
１０００    データ処理システム
ＢＹＳ    バックヤードスペース
ＣＵ    一般ユーザ
ＩＮ    通信ネットワーク
ＭＣＤ    動作制御データ
ＳＶＤ    空間画像データ
ＵＳＤ    ユーザ状況データ
ＵＵＳ    ユーザ利用空間
ＵＶＤ    ユーザ画像データ
【図１】
2009192171.tif 000003
【図２】
2009192171.tif 000004
【図３】
2009192171.tif 000005
【図４】
2009192171.tif 000006
【図５】
2009192171.tif 000007